(57)【特許請求の範囲】
【請求項１】
上面にレリーズ操作部組み込み用の開口孔を有し、カメラ本体に対して水平方向から組み込まれる第一のカバーと、
前記第一のカバーの開口孔に上下方向より組み込まれ、カバー内側に突出するレリーズ操作部と、
前記第一のカバーの内面位置で前記レリーズ操作部へ水平方向より組み付けられる抜け止め部材と、
前記カメラ本体に前記第一のカバーと対向した方向より組み込まれる第二のカバーと、
を有し、
前記レリーズ操作部は、前記開口孔に装着されるレリーズ台座と、このレリーズ台座に軸方向に移動可能に組み付けられるレリーズ釦と、このレリーズ釦を常に非操作位置へ付勢する付勢手段を有し、
前記レリーズ台座は、外周部に係合孔を有し、
前記抜け止め部材は、前記係合孔に係合する凸部を有し、
前記凸部を係合孔に係合して前記抜け止め部材の位置決めをし、
前記レリーズ釦は、非操作位置では前記レリーズ台座内に位置し、操作位置では前記レリーズ台座から突出してカメラ本体に備えたレリーズ機構を作動可能に構成したことを特徴とするカメラ。
【請求項２】
前記抜け止め部材と、前記第一のカバーの外面に係合する前記レリーズ台座に形成された鍔部とにより前記レリーズ操作部のカバーからの抜けを防止する抜け止め機構を構成したことを特徴とする請求項１記載のカメラ。
【請求項３】
前記第一のカバーの開口孔と前記レリーズ台座とが廻り止め手段により組み付けられていることを特徴とする請求項１または請求項２記載のカメラ。
【請求項４】
前記第一のカバー及び／又は前記第二のカバーを金属製部材で形成したことを特徴とする請求項１乃至請求項３のいずれかに記載のカメラ。
【請求項５】
前記第一のカバーが前面カバーであり、前記第二のカバーが後面カバーであることを特徴とする請求項１乃至請求項４のいずれかに記載のカメラ。
【請求項６】
上面にレリーズ操作部組み込み用の開口孔を有する第一のカバーを、カメラ本体に対して水平方向から組み込み、
前記カメラ本体に対して上下方向に操作され前記第一のカバー内側に突出するレリーズ操作部を、前記第一のカバーの前記カメラ本体への取り付け後に前記第一のカバーに上下方向より組み込み、
前記レリーズ操作部の前記第一のカバーヘの組み込み後、前記第一のカバーの内面位置で抜け止め部材を前記レリーズ操作部へ水平方向から組み付け、
前記レリーズ操作部は、前記開口孔に装着されるレリーズ台座と、このレリーズ台座に軸方向に移動可能に組み付けられるレリーズ釦と、このレリーズ釦を常に非操作位置へ付勢する付勢手段を有し、
前記レリーズ台座の外周部に形成した係合孔に、前記抜け止め部材の凸部を係合して位置決めをし、
前記レリーズ釦は、非操作位置では前記レリーズ台座内に位置し、操作位置では前記レリーズ台座から突出してカメラ本体に備えたレリーズ機構を作動可能にし、
前記抜け止め部材の組み付け後に第二のカバーをカメラ本体に前記第一のカバーと対向した方向より組み込む、
ことを特徴とするカメラの組み立て方法。
【発明の詳細な説明】
【０００１】
【発明の属する技術分野】
この発明は、カメラ及びカメラの組み立て方法に関するものである。
【０００２】
【従来の技術】
カメラには、例えばカメラ本体を前面カバーと後面カバーで覆い、前面カバーから露出するレリーズの操作でカメラ本体に備えたレリーズ機構を作動させるものがある。
【０００３】
このレリーズ機構を作動させるレリーズ釦構造として、例えば図１４に示すように、カメラ本体１００を覆う前面カバー１０１には、レリーズ釦１０２の台座１０３を一体に形成し、レリーズ釦１０２を前面カバー１０１の上側から台座１０３にスプリング１０４を介してはめ込んで組み付け、台座１０３に組み付けたレリーズ釦１０２を押すことでレリーズ機構を作動させるものがある。
【０００４】
また、図１４の台座１０３の形成が難しい金属製のカバーにおいては、例えば図１５に示すように、前面カバー２０１の内側に、レリーズ釦２０２と連結した片持バネ２１０の端を接着等により取り付け、片持バネ２１０に支持したレリーズ釦２０２を押すことでレリーズ機構を作動させるものがある。
【０００５】
【発明が解決しようとする課題】
ところで、図１４のように前面カバー１０１に台座１０３を一体に形成するものでは、前面カバー１０１の内側に台座１０３が突出しているため、カメラ本体１００への前面カバー１０１の組立時に台座１０３の部分が通過するスペースの逃げ部１００ａをカメラ本体１００側に作らなければならず、さらにまた、組立後は前面カバー１０１の内側に突出している台座１０３の前方には、デッドスペース１０５が生じカメラのコンパクト化の妨げとなっている。
【０００６】
また、図１５のように前面カバー２０１の内側にレリーズ釦２０２と連結した片持バネ２１０の端を接着等で取り付けるものでは、レリーズ釦２０２の押し込みによりレリーズ釦２０２が傾くため、隙間が生じてゴミ等が侵入する恐れがある。また、レリーズ釦２０２が傾くと操作性が悪いと共に、レリーズ釦２０２の作動スペースを大きく確保する必要があり、この作動スペースがカメラのコンパクト化の妨げとなっている。さらに、片持バネ２１０の接着剤の乾きを待つ必要があり、組み付けに時間がかかり、また接着のための位置決めボス２０１ａ等を設けたり、ネジ止めするとネジが外観に現れるため外観品位が損なわれる。
【０００７】
この発明は、前記課題を解決し、カメラのデッドスペースをなくしてコンパクト化を可能にし、また組付性の向上を可能にするカメラ及びカメラの組み立て方法を提供することを目的としている。
【０００８】
【課題を解決するための手段】
この発明は、前記課題を解決し、かつ目的を達成するために次のように構成した。
【０００９】
請求項１記載の発明は、
『上面にレリーズ操作部組み込み用の開口孔を有し、カメラ本体に対して水平方向から組み込まれる第一のカバーと、
前記第一のカバーの開口孔に上下方向より組み込まれ、カバー内側に突出するレリーズ操作部と、
前記第一のカバーの内面位置で前記レリーズ操作部へ水平方向より組み付けられる抜け止め部材と、
前記カメラ本体に前記第一のカバーと対向した方向より組み込まれる第二のカバーと、
を有し、
前記レリーズ操作部は、前記開口孔に装着されるレリーズ台座と、このレリーズ台座に軸方向に移動可能に組み付けられるレリーズ釦と、このレリーズ釦を常に非操作位置へ付勢する付勢手段を有し、
前記レリーズ台座は、外周部に係合孔を有し、
前記抜け止め部材は、前記係合孔に係合する凸部を有し、
前記凸部を係合孔に係合して前記抜け止め部材の位置決めをし、
前記レリーズ釦は、非操作位置では前記レリーズ台座内に位置し、操作位置では前記レリーズ台座から突出してカメラ本体に備えたレリーズ機構を作動可能に構成したことを特徴とするカメラ。』である。
【００１０】
この請求項１記載の発明によれば、レリーズ操作部前方のデッドスペースがなくなり、コンパクト化が可能になる。また、第一のカバーにはカメラ本体側に突出する突起がないので、第一のカバーとカメラ本体との組付性が向上する。また、第一のカバーとレリーズ操作部が別体に形成されるため、レリーズ操作の作動性確認ができる。
レリーズ台座内にレリーズ釦が保持されているため押し込みに対してレリーズ釦が傾きにくく、操作性が向上する。また、レリーズ操作部により開口孔に装着されるため組み込む前に作動確認ができ、さらにレリーズ操作部を再利用できる。また、レリーズ操作部として組み付けることでカメラ内外の密封性が高いので、ごみ、静電気による悪影響を防止することができる。さらに、レリーズ台座がレリーズ釦の押し込みストッパーになるため、カメラ本体側に組み付けられるレリーズ機構への負荷を小さくすることができる。
また、レリーズ台座の外周部に形成した係合孔に、抜け止め部材の凸部を係合して位置決めして組み付けられ、カメラの組付性が向上する。
【００１３】
請求項２記載の発明は、
『前記抜け止め部材と、前記第一のカバーの外面に係合する前記レリーズ台座に形成された鍔部とにより前記レリーズ操作部のカバーからの抜けを防止する抜け止め機構を構成したことを特徴とする請求項１記載のカメラ。』である。
【００１４】
この請求項２記載の発明によれば、抜け止め機構はレリーズ台座を利用し、しかも第一のカバーを内外から挟み付ける簡単な構造で、確実にレリーズ操作部の抜け止めを行うことができる。
【００１５】
請求項３記載の発明は、
『前記第一のカバーの開口孔と前記レリーズ台座とが廻り止め手段により組み付けられていることを特徴とする請求項１または請求項２記載のカメラ。』である。
【００１６】
この請求項３記載の発明によれば、第一のカバーの開口孔とレリーズ台座が簡単な構造で、確実に廻り止めして組み付けられている。
【００１９】
請求項４記載の発明は、
『前記第一のカバー及び／又は前記第二のカバーを金属製部材で形成したことを特徴とする請求項１乃至請求項３のいずれかに記載のカメラ。』である。
【００２０】
この請求項４記載の発明によれば、第一のカバーの上面に開口孔を形成するだけであるため、第一のカバー及び第二のカバーを金属製部材で容易に、かつ高品位に形成することができる。
【００２１】
請求項５記載の発明は、
『前記第一のカバーが前面カバーであり、前記第二のカバーが後面カバーであることを特徴とする請求項１乃至請求項４のいずれかに記載のカメラ。』である。
【００２２】
この請求項５記載の発明によれば、カメラ本体を前面カバーと後面カバーで覆う簡便なカメラである。
【００２３】
請求項６記載の発明は、
『上面にレリーズ操作部組み込み用の開口孔を有する第一のカバーを、カメラ本体に対して水平方向から組み込み、
前記カメラ本体に対して上下方向に操作され前記第一のカバー内側に突出するレリーズ操作部を、前記第一のカバーの前記カメラ本体への取り付け後に前記第一のカバーに上下方向より組み込み、
前記レリーズ操作部の前記第一のカバーヘの組み込み後、前記第一のカバーの内面位置で抜け止め部材を前記レリーズ操作部へ水平方向から組み付け、
前記レリーズ操作部は、前記開口孔に装着されるレリーズ台座と、このレリーズ台座に軸方向に移動可能に組み付けられるレリーズ釦と、このレリーズ釦を常に非操作位置へ付勢する付勢手段を有し、
前記レリーズ台座の外周部に形成した係合孔に、前記抜け止め部材の凸部を係合して位置決めをし、
前記レリーズ釦は、非操作位置では前記レリーズ台座内に位置し、操作位置では前記レリーズ台座から突出してカメラ本体に備えたレリーズ機構を作動可能にし、
前記抜け止め部材の組み付け後に第二のカバーをカメラ本体に前記第一のカバーと対向した方向より組み込む、
ことを特徴とするカメラの組み立て方法。』である。
【００２４】
この請求項６記載の発明によれば、第一のカバーにはカメラ本体側に突出する突起がないので、レリーズ操作部前方のデッドスペースがなくなり、コンパクト化が可能になり、さらに第一のカバーとカメラ本体との組付性が向上する。また、第一のカバーとレリーズ操作部が別体に形成されるため、レリーズ操作の作動確認ができる。
【００２５】
【発明の実施の形態】
以下、この発明のカメラ及びカメラの組み立て方法を図面に基づいて詳細に説明する。図１はレリーズ操作部を組み付けたカメラの平面図、図２は図１のII―II線に沿うレリーズ操作部の周辺の断面図、図３は図１のIII―III線に沿うレリーズ操作部の周辺の断面図、図４はレリーズ操作部のレリーズ釦が非操作位置状態を示す断面図、図５はレリーズ操作部のレリーズ釦が操作位置状態を示す断面図、図６は図２のVI―VI線に沿うレリーズ操作部の断面図、図７はレリーズ操作部の底面図、図８は図６のVIII―VIII線に沿う断面図、図９は図６のIX―IX線に沿う断面図、図１０はレリーズ台座を示す図、図１１はレリーズ釦を示す図、図１２はレリーズ固定板を示す図、図１３はカメラの組立工程を示す図である。
【００２６】
カメラ１は、カメラ本体２を第一のカバーである前面カバー３と、第二のカバーである後面カバー４で覆うように組み立られる。すなわち、カメラ本体２に対して前面カバー３は、水平方向から組み込まれ、  後面カバー４は、  カメラ本体２に前面カバー３と対向した方向より組み込まれる。
【００２７】
カメラ本体２には、レリーズ機構５、電気部品６等の構成部品が組み付けられている。前面カバー３及び後面カバー４は金属製部材で形成することができ、金属製部材で形成することでカバーを高品位にすることができる。
【００２８】
前面カバー３の背面はカメラ本体２を組み付け可能に開放され、さらに上面にレリーズ操作部組み込み用の開口孔７が形成されている。この開口孔７には、レリーズ操作部１０が上下方向から組み付けられ、レリーズ操作部１０はカメラ本体側へ突出している。
【００２９】
レリーズ操作部１０は、開口孔７に装着されるレリーズ台座１１と、このレリーズ台座１１に軸方向に移動可能に組み付けられるレリーズ釦１２と、このレリーズ釦１２を常に非操作位置へ付勢する付勢手段１３を有している。
【００３０】
レリーズ台座１１は、図１０に示すように皿状に形成され、底部中央にレリーズ釦挿通孔１１ａが形成され、底部内側にはスプリング保持突起１１ｂが形成されている。また、レリーズ台座１１の底部から側部の角部に係合窓１１ｃが４箇所に形成され、開口部周縁には鍔部１１ｄが形成され、さらに側壁外周部には係合溝１１ｅが３箇所に形成され、この係合溝１１ｅの中央には係合孔１１ｆが形成されている。
【００３１】
また、レリーズ台座１１の側部には、前面カバー３の開口孔７のガイド溝７ａに係合する位置決め突起１ｌｇが形成され、これによりレリーズ操作部１０の組み付け位置が決定されるとともに、レリーズ操作部１０の廻り止めをすることができる。このようにして前面カバー３の開口孔７とレリーズ台座１１とが廻り止め手段により組み付けられ、前面カバー３の開口孔７とレリーズ台座１１が簡単な構造で、確実に廻り止めして組み付けられている。
【００３２】
レリーズ釦１２は、図１１に示すように中央部にレリーズ押し部１２ａが形成され、また側壁には係合爪１２ｂが４箇所に形成されている。さらに、レリーズ釦１２の表側には、金属製の化粧カバー１４が嵌合されている。
【００３３】
レリーズ台座１１の係合窓１１ｃに、レリーズ釦１２の係合爪１２ｂを係合して組付け、スプリング保持突起１１ｂとレリーズ押し部１２ａの根元部との間に、付勢手段１３を構成するコイルスプリングが介在されている。付勢手段１３はレリーズ釦１２を常に非操作位置へ付勢し、この非操作位置では係合爪１２ｂが係合窓１１ｃに係合して抜け止めされ、操作位置ではレリーズ押し部１２ａの先端部がレリーズ釦挿通孔１１ａから突出しレリーズ機構５を作動可能になっている。
【００３４】
抜け止め機構２０は、前面カバー３の外面に係合するレリーズ台座１１に形成された鍔部１１ｄと、前面カバー３の内面位置でレリーズ台座１１の外周部の係合溝１１ｅに係合された抜け止め部材としてのレリーズ固定板２１とで構成されている。このように、抜け止め機構２０は、レリーズ台座１１を利用し、しかもレリーズ台座１１とレリーズ固定板２１とによる前面カバー３を内外から挟み付ける簡単な構造で、確実にレリーズ操作部１０の抜け止めを行うことができる。
【００３５】
レリーズ固定板２１には、図１２に示すように係合溝１１ｅに当接するフラット部２１ａが３箇所に形成され、この左右のフラット部２１ａには係合孔１１ｆに係合する凸部２１ｂが形成され、この凸部２１ｂを係合孔１１ｆに係合してレリーズ固定板２１の位置決めをすることができる。また、レリーズ固定板２１には、表裏を判別して誤組付けを防止し、かつ取り外しの時に引っ掛ける孔２１ｃが形成されている。
【００３６】
レリーズ釦１２は、非操作位置では図４に示すようにレリーズ台座１１内に位置し、操作位置では図５に示すようにレリーズ台座１１からレリーズ押し部１２ａの先端部が突出してレリーズ機構５を作動可能に構成されている。レリーズ台座１１内にレリーズ釦１２が保持されているため押し込みに対してレリーズ釦１２が傾きにくい。
【００３７】
また、レリーズ操作部１０により開口孔７に装着されるため組み込む前に、レリーズ操作部１０の作動確認ができる。さらに、レリーズ固定板２１により前面カバー３にレリーズ操作部１０を容易に着脱可能で再利用できる。また、レリーズ操作部１０として組み付けることでカメラ内外の密封性が高いので、ごみ、静電気による悪影響を防止することができる。さらに、レリーズ台座１１がレリーズ釦１２の押し込みストッパーになるため、カメラ本体側に組み付けられるレリーズ機構５への負荷を小さくすることができる。
【００３８】
また、前面カバー３の上面に開口孔７を形成するだけであるため、前面カバー３及び後面カバー４を金属製部材で容易に形成することができる。
【００３９】
カメラ１の組立は、図１３（ａ）に示すように、前面カバー３の背面の開放側から構成部品を組み付けたカメラ本体２を装着し、その後前面カバー３の開口孔７からレリーズ操作部１０をカメラ本体側へ突出して組付ける。そして、図１３（ｂ）に示すように、前面カバー３の背面の開放側からレリーズ固定板２１を前面カバー３の内面位置でレリーズ台座１１の外周部の係合溝１１ｅに係合され、レリーズ操作部１０を前面カバー３に抜け止めする。次いで、図１３（ｃ）に示すように、後面カバー４を組付け、前面カバー３から露出するレリーズ操作部１０の操作でカメラ本体２に備えたレリーズ機構５を作動可能にしており、前面カバー３にはカメラ本体側に突出する突起がないので、前面カバー３とカメラ本体２との組付性が向上する。
【００４０】
また、図３乃至図５に示すように、レリーズ操作部前方の空間３０に電気部品６のフレキシブル基板等が配置でき、デッドスペースがなくなり、その分コンパクト化が可能になる。また、前面カバー３とレリーズ操作部１０が別体に形成されているため、レリーズ操作の作動確認ができる。
【００４１】
【発明の効果】
前記したように、請求項１記載の発明では、第一のカバーが上面にレリーズ操作部組み込み用の開口孔を有し、カメラ本体に対して水平方向から組み込まれ、この第一のカバーの開口孔にレリーズ操作部が上下方向より組み込まれ、カバー内側に突出し、さらに抜け止め部材をレリーズ操作部へ水平方向より組み付け、第二のカバーをカメラ本体に第一のカバーと対向した方向より組み込むから、レリーズ操作部前方のデッドスペースがなくなり、コンパクト化が可能になる。また、第一のカバーにはカメラ本体側に突出する突起がないので、第一のカバーとカメラ本体との組付性が向上する。また、第一のカバーとレリーズ操作部が別体に形成されるため、レリーズ操作の作動確認ができる。
【００４２】
また、レリーズ台座内にレリーズ釦が保持されているため押し込みに対してレリーズ釦が傾きにくく、操作性が向上する。また、レリーズ操作部により開口孔に装着されるため組み込む前に作動確認ができ、さらにレリーズ操作部を再利用できる。また、レリーズ操作部として組み付けることでカメラ内外の密封性が高いので、ごみ、静電気による悪影響を防止することができる。さらに、レリーズ台座がレリーズ釦の押し込みストッパーになるため、カメラ本体側に組み付けられるレリーズ機構への負荷を小さくすることができる。
また、レリーズ台座と抜け止め部材とが位置決め手段により組み付けられており、レリーズ台座と抜け止め部材とが位置決めして組み付けられ、カメラの組付性が向上する。
【００４３】
請求項２記載の発明では、抜け止め機構はレリーズ台座を利用し、しかも第一のカバーを内外から挟み付ける簡単な構造で、確実にレリーズ操作部の抜け止めを行うことができる。
【００４４】
請求項３記載の発明では、第一のカバーの開口孔とレリーズ台座とが廻り止め手段により組み付けられ、第一のカバーの開口孔とレリーズ台座が簡単な構造で、確実に廻り止めして組み付けられている。
【００４６】
請求項４記載の発明では、第一のカバー及び／又は第二のカバーを金属製部材で形成し、第一のカバーの上面に開口孔を形成するだけであるため、第一のカバー及び第二のカバーを金属製部材で容易に、かつ高品位に形成することができる。
【００４７】
請求項５記載の発明では、第一のカバーが前面カバーであり、第二のカバーが後面カバーであり、カメラ本体を前面カバーと後面カバーで覆う簡便なカメラである。
【００４８】
請求項６記載の発明では、第一のカバーにはカメラ本体側に突出する突起がないので、レリーズ操作部前方のデッドスペースがなくなり、コンパクト化が可能になり、さらに第一のカバーとカメラ本体との組付性が向上する。また、第一のカバーとレリーズ操作部が別体に形成されるため、レリーズ操作の作動確認ができる。
【図面の簡単な説明】
【図１】レリーズ操作部を組み付けたカメラの平面図である。
【図２】図１のII―II線に沿うレリーズ操作部の周辺の断面図である。
【図３】図１のIII―III線に沿うレリーズ操作部の周辺の断面図である。
【図４】レリーズ操作部のレリーズ釦が非操作位置状態を示す断面図である。
【図５】レリーズ操作部のレリーズ釦が操作位置状態を示す断面図である。
【図６】図２のVI―VI線に沿うレリーズ操作部の断面図である。
【図７】レリーズ操作部の底面図である。
【図８】図６のVIII―VIII線に沿う断面図である。
【図９】図６のIX―IX線に沿う断面図である。
【図１０】レリーズ台座を示す図である。
【図１１】レリーズ釦を示す図である。
【図１２】レリーズ固定板を示す図である。
【図１３】カメラの組立工程を示す図である。
【図１４】従来のカメラの組立工程を示す図である。
【図１５】従来のカメラの組立工程の他の例を示す図である。
【符号の説明】
ｌ  カメラ
２  カメラ本体
３  前面カバー
４  後面カバー
５  レリーズ機構
７  開口孔
１０  レリーズ操作部
２０  抜け止め機構
【図１】
0003674245.tif 000002
【図２】
0003674245.tif 000003
【図３】
0003674245.tif 000004
【図４】
0003674245.tif 000005
【図５】
0003674245.tif 000006
【図６】
0003674245.tif 000007
【図７】
0003674245.tif 000008
【図８】
0003674245.tif 000009
【図９】
0003674245.tif 000010
【図１０】
0003674245.tif 000011
【図１１】
0003674245.tif 000012
【図１２】
0003674245.tif 000013
【図１３】
0003674245.tif 000014
【図１４】
0003674245.tif 000015
【図１５】
0003674245.tif 000016